(57)【要約】【課題】小型で、軽量な構造であって、確実に、人体の頭部に蓄積した静電気を除去する静電気除去用耳栓、静電気除去用鼻栓、および静電気を除去する方法を提供する。【解決手段】本発明の静電気除去用耳栓は、筒状の部材３に、円形状のつば２a、２ｂ、２ｃを複数配置した形状の第１と、第２の静電気除去用耳栓であって、前記第１の静電気除去用耳栓は、筒状の部材の軸中心線に沿って、２個のダイオード４a、４ｂが、負極性の端子が接続されるように、直列接続されて配置され、前記第２の静電気除去用耳栓は、筒状の部材の軸中心線に沿って、１個のダイオード４ｃが、配置され、前記第１の静電気除去用耳栓と前記第２の静電気除去用耳栓が、使用者の左右の耳の穴のいずれかに装着されてたことを特徴としている。【選択図】図１
2018079255.tif 000002
【特許請求の範囲】
【請求項１】
筒状の部材に、円形状のつばを複数配置した形状の第１と、第２の静電気除去用耳栓であって、
前記第１の静電気除去用耳栓は、筒状の部材の軸中心線に沿って、２個のダイオードが、負極性の端子が接続されるように、直列接続されて配置され、
前記第２の静電気除去用耳栓は、筒状の部材の軸中心線に沿って、１個のダイオードが、配置され、
前記第１の静電気除去用耳栓と前記第２の静電気除去用耳栓が、使用者の左右の耳の穴のいずれかに装着されてたことを特徴とする静電気除去用耳栓。
【請求項２】
前記耳栓の材質は、熱可塑性エラストマー、シリコンゴムのいずれかであることを特徴とする請求項１記載の静電気除去用耳栓。
【請求項３】
筒状の部材に、円形状のつばを複数配置した形状の第１と、第２の静電気除去用鼻栓であって、
前記第１の静電気除去用鼻栓は、筒状の部材の軸中心線に沿って、２個のダイオードが、負極性の端子が接続されるように、直列接続されて配置され、
前記第２の静電気除去用鼻栓は、筒状の部材の軸中心線に沿って、１個のダイオードが、配置され、
前記第１の静電気除去用鼻栓と前記第２の静電気除去用鼻栓が、使用者の左右の鼻の穴のいずれかに装着されてたことを特徴とする静電気除去用鼻栓。
【請求項４】
前記鼻栓の材質は、熱可塑性エラストマー、シリコンゴムのいずれかであることを
特徴とする請求項３記載の静電気除去用鼻栓。
【請求項５】
筒状の部材に、円形状のつばを複数配置した形状の第１と、第２の静電気除去用耳栓を用いる使用者の頭部の静電気を除去する方法であって、
前記第１の静電気除去用耳栓を、筒状の部材の軸中心線に沿って、２個のダイオードが、負極性の端子が接続されるように、直列接続して配置し、
前記第２の静電気除去用耳栓を、筒状の部材の軸中心線に沿って、１個のダイオードを、配置し、
前記第１の静電気除去用耳栓と前記第２の静電気除去用耳栓を、使用者の左右の耳の穴のいずれかに装着することを特徴とする静電気を除去する方法。
【請求項６】
筒状の部材に、円形状のつばを複数配置した形状の第１と、第２の静電気除去用鼻栓を用いる使用者の頭部の静電気を除去する方法であって、
前記第１の静電気除去用鼻栓を、筒状の部材の軸中心線に沿って、２個のダイオードが、負極性の端子が接続されるように、直列接続して配置し、
前記第２の静電気除去用鼻栓を、筒状の部材の軸中心線に沿って、１個のダイオードを、配置し、
前記第１の静電気除去用鼻栓と前記第２の静電気除去用鼻栓を、使用者の左右の鼻の穴のいずれかに装着することを特徴とする静電気を除去する方法。
【発明の詳細な説明】
【技術分野】
【０００１】
本発明は、人体の頭部に蓄積された静電気を除去する静電気除去用耳栓、静電気除去用鼻栓、および静電気を除去する方法に関する。
【背景技術】
【０００２】
従来、人体に蓄積された静電気を除去する装置は、各種公開されている。
特許文献１（特開平９-１８７５１９号公報）には、静電気中和層を有する枕用マット
について記載されている。特許文献２（特開２０００−３００３９６号公報）には、
炭素繊維を構成要素とする人体帯電中和マットについて記載されている。
【先行技術文献】
【特許文献】
【０００３】
【特許文献１】特開平９-１８７５１９号公報
【特許文献２】特開２０００−３００３９６号公報
【発明の概要】
【発明が解決しようとする課題】
【０００４】
従来の静電気を除去する装置は、大きさが大きく、使用するのに、困難であり、特に使用者の頭部の静電気を除去するには、装置が大きいとの問題点があった。
【０００５】
本発明の課題は、小型で、軽量な構造であって、確実に、人体の頭部に蓄積した静電気を除去する静電気除去用耳栓、静電気除去用鼻栓、および静電気を除去する方法を提供することである。
【課題を解決するための手段】
【０００６】
本発明の請求項1に係る静電気除去用耳栓は、筒状の部材に、円形状のつばを複数配置した形状の第１と、第２の静電気除去用耳栓であって、前記第１の静電気除去用耳栓は、筒状の部材の軸中心線に沿って、２個のダイオードが、負極性の端子が接続されるように、直列接続されて配置され、前記第２の静電気除去用耳栓は、筒状の部材の軸中心線に沿って、１個のダイオードが、配置され、前記第１の静電気除去用耳栓と前記第２の静電気除去用耳栓が、使用者の左右の耳の穴のいずれかに装着されてたことを特徴とする静電気除去用耳栓である。
【０００７】
本発明の請求項２に係る静電気除去用耳栓は、前記耳栓の材質は、熱可塑性エラストマー、シリコンゴムのいずれかであることを特徴とする請求項１記載の静電気除去用耳栓である。
【０００８】
本発明の請求項３に係る静電気除去用鼻栓は、筒状の部材に、円形状のつばを複数配置した形状の第１と、第２の静電気除去用鼻栓であって、前記第１の静電気除去用鼻栓は、筒状の部材の軸中心線に沿って、２個のダイオードが、負極性の端子が接続されるように、直列接続されて配置され、前記第２の静電気除去用鼻栓は、筒状の部材の軸中心線に沿って、１個のダイオードが、配置され、前記第１の静電気除去用鼻栓と前記第２の静電気除去用鼻栓が、使用者の左右の鼻の穴のいずれかに装着されてたことを特徴とする静電気除去用鼻栓である。
【０００９】
本発明の請求項４に係る静電気除去用鼻栓は、前記鼻栓の材質は、熱可塑性エラストマー、シリコンゴムのいずれかであることを特徴とする請求項３記載の静電気除去用鼻栓である。
【００１０】
本発明の請求項５に係る静電気を除去する方法は、筒状の部材に、円形状のつばを複数配置した形状の第１と、第２の静電気除去用耳栓を用いる使用者の頭部の静電気を除去する方法であって、前記第１の静電気除去用耳栓を、筒状の部材の軸中心線に沿って、２個のダイオードが、負極性の端子が接続されるように、直列接続して配置し、前記第２の静電気除去用耳栓を、筒状の部材の軸中心線に沿って、１個のダイオードを、配置し、前記第１の静電気除去用耳栓と前記第２の静電気除去用耳栓を、使用者の左右の耳の穴のいずれかに装着することを特徴とする静電気を除去する方法である。
【００１１】
本発明の請求項６に係る静電気を除去する方法は、筒状の部材に、円形状のつばを複数配置した形状の第１と、第２の静電気除去用鼻栓を用いる使用者の頭部の静電気を除去する方法であって、前記第１の静電気除去用鼻栓を、筒状の部材の軸中心線に沿って、２個のダイオードが、負極性の端子が接続されるように、直列接続して配置し、前記第２の静電気除去用鼻栓を、筒状の部材の軸中心線に沿って、１個のダイオードを、配置し、前記第１の静電気除去用鼻栓と前記第２の静電気除去用鼻栓を、使用者の左右の鼻の穴のいずれかに装着することを特徴とする静電気を除去する方法である。
【発明の効果】
【００１２】
本発明の請求項１に係る静電気除去用耳栓によれば、確実に、人体の頭部に蓄積した静電気を除去する静電気除去用耳栓を提供できる。
【００１３】
本発明の請求項２に係る静電気除去用耳栓によれば、小型で、軽量な構造の静電気除去用耳栓を提供できる。
【００１４】
本発明の請求項３に係る静電気除去用鼻栓によれば、確実に、人体の頭部に蓄積した静電気を除去する静電気除去用鼻栓を提供できる。
【００１５】
本発明の請求項４に係る静電気除去用鼻栓によれば、小型で、軽量な構造の静電気除去用鼻栓を提供できる。
【００１６】
本発明の請求項５に係る静電気を除去する方法によれば、確実に、人体の頭部に蓄積した静電気を除去する静電気を除去する方法を提供できる。
【００１７】
本発明の請求項６に係る静電気を除去する方法によれば、確実に、人体の頭部に蓄積した静電気を除去する静電気を除去する方法を提供できる。
【００１８】
本発明によれば、小型で、軽量な構造であって、確実に、人体の頭部に蓄積した静電気を除去する静電気除去用耳栓、静電気除去用鼻栓、および静電気を除去する方法を提供することができる。
【図面の簡単な説明】
【００１９】
【図１】実施例１の静電気除去用耳栓の図。
【図２】静電気除去用耳栓の断面図。図１（ａ）は、筒状部にダイオード２個を有する場合、図１（ｂ）は、筒状部にダイオード１個を有する場合である。
【図３】実施例２の静電気除去用鼻栓の図。
【図４】静電気除去用鼻栓の断面図。図１（ａ）は、筒状部にダイオード２個を有する場合、図１（ｂ）は、筒状部にダイオード１個を有する場合である。
【図５】静電気除去用耳栓を耳の穴に装着した状態の図。
【図６】静電気除去用鼻栓を鼻の穴に装着した状態の図。
【発明を実施するための形態】
【００２０】
本発明の実施の形態による静電気除去用耳栓は、筒状の部材に、円形状のつばを複数配置した形状の第１と、第２の静電気除去用耳栓であって、前記第１の静電気除去用耳栓は、筒状の部材の軸中心線に沿って、２個のダイオードが、負極性の端子が接続されるように、直列接続されて配置され、前記第２の静電気除去用耳栓は、筒状の部材の軸中心線に沿って、１個のダイオードが、配置され、前記第１の静電気除去用耳栓と前記第２の静電気除去用耳栓が、使用者の左右の耳の穴のいずれかに装着されてたことを特徴とする静電気除去用耳栓である。
【００２１】
ここで、静電気除去用耳栓の材質は、熱可塑性エラストマー、シリコンゴムのいずれかであることを特徴とする。
【００２２】
本発明の実施の形態による静電気除去用鼻栓は、筒状の部材に、円形状のつばを複数配置した形状の第１と、第２の静電気除去用鼻栓であって、前記第１の静電気除去用鼻栓は、筒状の部材の軸中心線に沿って、２個のダイオードが、負極性の端子が接続されるように、直列接続されて配置され、前記第２の静電気除去用鼻栓は、筒状の部材の軸中心線に沿って、１個のダイオードが、配置され、前記第１の静電気除去用鼻栓と前記第２の静電気除去用鼻栓が、使用者の左右の鼻の穴のいずれかに装着されてたことを特徴とする静電気除去用鼻栓である。
【００２３】
ここで、前記静電気除去用鼻栓の材質は、熱可塑性エラストマー、シリコンゴムのいずれかであることを特徴とする。
【００２４】
本発明の実施の形態による静電気を除去する方法は、筒状の部材に、円形状のつばを複数配置した形状の第１と、第２の静電気除去用耳栓を用いる使用者の頭部の静電気を除去する方法であって、前記第１の静電気除去用耳栓を、筒状の部材の軸中心線に沿って、２個のダイオードが、負極性の端子が接続されるように、直列接続して配置し、前記第２の静電気除去用耳栓を、筒状の部材の軸中心線に沿って、１個のダイオードを、配置し、前記第１の静電気除去用耳栓と前記第２の静電気除去用耳栓を、使用者の左右の耳の穴のいずれかに装着することを特徴とする静電気を除去する方法である。
【００２５】
本発明の実施の形態による静電気を除去する方法は、筒状の部材に、円形状のつばを複数配置した形状の第１と、第２の静電気除去用鼻栓を用いる使用者の頭部の静電気を除去する方法であって、前記第１の静電気除去用鼻栓を、筒状の部材の軸中心線に沿って、２個のダイオードが、負極性の端子が接続されるように、直列接続して配置し、前記第２の静電気除去用鼻栓を、筒状の部材の軸中心線に沿って、１個のダイオードを、配置し、前記第１の静電気除去用鼻栓と前記第２の静電気除去用鼻栓を、使用者の左右の鼻の穴のいずれかに装着することを特徴とする静電気を除去する方法である。
【実施例】
【００２６】
（実施例１）
図１は、静電気除去用耳栓の図である。静電気除去用耳栓１は、筒状部３に、円形状のつば２ａ、２ｂ、２ｃが配列された構造であって、筒状部３の端部に表示部６を配置している。静電気除去用耳栓１の材質は、熱可塑性エラストマーが使用されるが、これに限られない。
【００２７】
図２は、静電気除去用耳栓の断面図である。図２（ａ）は、筒状部３の内部に、２個のダイオード4ａ、4ｂが配置され、お互いの負極の端子が接続されている。
また、図２（ｂ）は筒状部３の内部に、１個のダイオード４ｃが配置されている。
表示部６ａ、６ｂが、静電気除去用耳栓の区別をするために表示されている。
【００２８】
図５は、静電気除去用耳栓の使用状態の図である。静電気除去用耳栓１ａが、使用者の左耳８の耳穴８１に装着されている。静電気除去用耳栓１ａは、ダイオード４a、４ｂが、負極を接続されている。使用者の頭部に蓄積された静電気の正電荷７が、静電気除去用耳栓１ａの方に移動し、ダイオード４a、４ｂが、負極を接続された部分で、正電荷７がぶつかり合い、消滅する。これによって、静電気が除去される。
【００２９】
（実施例２）
図３は、静電気除去用鼻栓１１の図である。静電気除去用耳栓１１は、筒状部３１に、円形状のつば２１ａ、２１ｂ、２１ｃが配列された構造であって、筒状部３１の端部に表示部６１を配置している。静電気除去用耳栓１の材質は、熱可塑性エラストマーが使用されるが、これに限られない。
【００３０】
図２は、静電気除去用耳栓の断面図である。図２（ａ）は、筒状部３１の内部に、２個のダイオード4１ａ、4１ｂが配置され、お互いの負極の端子が接続されている。
また、図２（ｂ）は筒状部３の内部に、１個のダイオード４１ｃが配置されている。
表示部６１ａ、６１ｂが、静電気除去用耳栓の区別をするために表示されている。
【００３１】
図６は、静電気除去用鼻栓の使用状態の図である。右鼻の穴に、１個のダイオードが配置された静電気除去用鼻栓を装着し、また、同時に左鼻の穴に、２個のダイオードが配置された静電気除去用鼻栓を装着する。
【００３２】
（実施例３）
耳栓を使用した場合の、症例について、以下記載する。
（１）耳栓（黒）１個使用した場合
１．患者（女性：３週間前から耳栓を使用している。）
肌がきれいになった。
風邪の時に、よく発症する中耳炎の症状が出なくなった。
皮膚のかゆみが良くなった。
２．患者（女性：２週間位使用している。）
使用頻度は、毎日、ほぼずっとつけている。
以前は、化粧をすると、目が異常にかゆくなり、真っ赤にただれていたが、
使用を初めてからは、かゆみはおさまり、徐々に目の腫れもなくなってきた。
３．患者（女性：２週間位使用している。）
使用頻度は、毎日ではないが、気づいた時に使用している。
頭痛もちだったが、徐々にその回数が減り、気にならなくなった。
【００３３】
（２）耳栓２個（黒、赤）使用した場合
１．患者（女性：使用を始めて５日くらいである。）
夜寝る際、布団に入ると必ず足の付け根や、ふくらはぎが、つり、夜中眠っている間も
その症状で目を覚ましてしまう。
使用を始めたその日から症状が改善した。それからは、夜中に目が覚めることなく、ぐっすり眠れるのようになった。
２．患者（男性：耳栓２個使用）
今日つけてすぐに花粉症の症状が改善した。（すぐ鼻が通った。）
３．患者（女性：耳栓２個使用）
花粉症とぜんそくもちである。
今日つけてすぐに鼻が通り、喉の奥まで空気は入るようになって、呼吸も楽になった。
目のかゆみ、たんのからみも多少改善した。
４．患者（男性：耳栓２個使用）
うつ病、体の痛みがあった。
今日つけて４５分ぐらいで、背中や、お腹の苦しさが軽減、気分も良くなった。
５．患者（男性：耳栓２個使用）
花粉症がひどい。
今日つけて目の痛みが消え、せきも止まり、鼻水が落ちてこなくなった。
６．患者（女性：耳栓２個使用）
みぞおちから背中の痛むが、今日つけてすぐ良くなった。
目がばやーとした感じが無くなった。
７．患者（女性：耳栓２個使用）
目のかゆみが、おさまった。
８．患者（女性：耳栓２個使用）
毎年花粉症に加え、先月から蓄膿症で通院していた。
顔がピリピリと痛い、目がかゆい、くしゃみ、せき、痰、喉のかゆみと痛み、鼻水が出るなどの症状が、耳栓を付けてすぐ緩和した。
９．患者（男性：耳栓２個使用）
アレルギー性の目のやにや、かゆみが、耳栓使用で、少し緩和した。
１０．患者（女性：耳栓２個使用）
湿疹、全身のかゆみの症状で通院。
３日前から使用。気にならないとの事で、毎日家に居る時は、ほとんど、ずっと耳栓を付けたままの生活。
劇的な改善を実感、仕事中に皮膚を掻きむしっていて、周りの目が気になっていたが、
掻くことが減り気持ち的にも楽になる。
１１．患者（女性：耳栓２個使用）
肩がだるくて受診した。
耳栓を使用して、１０分くらいで、肩が軽くなり改善した。
１２．患者（男性：耳栓２個使用）
孫から、耳栓を借りて使用していた。一日左右交換しながら、ずっと耳栓を付けていた。
後頭部の首と頭の付け根に痛みが、長い間あったが、耳栓を使用してからは、気が付いたら痛みがなく、自然と痛くなくなっていた。
１３．患者（女性：耳栓２個使用）
夜寝るとき布団に入ると腰から足の付け根にかけてつる症状があった。
４日前から、耳栓を左右交互に使用し、その日からすぐに症状が改善した。
１４．患者（女性：耳栓２個使用）
目の疲れ、目がシバシバするという症状があった。
耳栓を使用して、すぐ目が軽い、明るく視界もはっきり、楽になった。
１５．患者（女性：耳栓２個使用）
顔に湿疹、顔が熱をもって暑いという症状があった。
耳栓を使用して、すぐ静電気がとれて、顔の症状が減り、楽になった効果を実感した。
１６．患者（女性：耳栓２個使用）
花粉症の症状がひどく、朝起きると、目が腫れている、鼻水、くしゃみ、せき等の
症状があった。
夜寝る前に、耳栓を使用すると、ほとんどの症状が改善した。朝起きたときの不快感は軽減し、せきは、全くなくなった。
１７．患者（男性：耳栓２個使用）
花粉症の症状があった。
日中以外、主に夜だけに、耳栓を使用し、鼻が通り、鼻づまりが緩和した。
１８．患者（女性：耳栓２個使用）
前回の診察時に、耳栓を使用開始し、頭に常に膜が張っているような症状あったが、耳    栓をつけてすぐに、頭が晴れるのを実感した。
統合失調症特有の症状に、１０年苦しめされていたが、症状は、ほとんど消えた。
薬を多用服用していて、副作用で口内が乾いている症状があったが、耳栓の使用を開始してからは、歯磨きの際に唾液が良く出るようになる。
１９．患者（女性：耳栓２個使用
１０日間ほど前から使用した。
めがねをした時に、目の奥がジリジリと痛む症状が改善した。
また、頭がすっきりした。
【００３４】
（実施例４）
鼻栓を使用した場合の、症例について、以下記載する。
１．患者（女性：鼻栓２個使用）
顔が、モヤーとして、むくんでいた。また、お腹が痛かった。
鼻栓を使用したところ、顔のむくみが消え、また、お腹の痛みもなくなった、
２．患者（男性；鼻栓２個使用）
頭痛が、常時、あった。
鼻栓を使用したところ、頭痛が、一瞬で消えた。
３．患者（女性：鼻栓２個使用）
顔に、痛み、また、ビリビリ感、および、かゆみがあった。
鼻栓を使用したところ、しばらくして、顔の、痛み、ビリビリ感、かゆみが消えた。
４．患者（女性；鼻栓２個使用）
頭痛が、常時、あった。
鼻栓を使用したところ、５分で、頭痛が消えた。
５．患者（女性；鼻栓２個使用）
頭痛、めまいが、あった。
鼻栓を使用したところ、頭痛、めまいが一瞬で消えた。
６．患者（女性；鼻栓１個使用）
３年来、腰の痛みがあった。
鼻栓を使用したところ、しばらくして、腰のいたみが消失した。
７．患者（女性；鼻栓１個使用）
常時、頭痛があった。
鼻栓を使用したところ、頭痛が減少した。
８．患者（女性；鼻栓１個使用）
顔のヒリヒリと、かゆみがあった。
鼻栓を使用したところ、顔のヒリヒリと、かゆみが減少した。
９．患者（女性；鼻栓１個使用）
常時、目のつらさがあった。
鼻栓を使用したところ、目のつらさがなくなった。
【産業上の利用可能性】
【００３５】
本発明によれば、小型で、軽量な構造であって、確実に、人体の頭部に蓄積した静電気を除去する静電気除去用耳栓、静電気除去用鼻栓、および静電気を除去する方法を提供することができ、産業の発展、および医療の発展に寄与する。
【符号の説明】
【００３６】
１、１ａ、１ｂ    静電気除去用耳栓
２ａ、２ｂ、２ｃ    円形状のつば
３    筒状部
４ａ、４ｂ、４ｃ    ダイオード
５ａ、５ｂ、５ｃ  ダイオードの正極
６、６ａ、６ｂ    表示部
７  正電荷
８  左耳
８１  耳穴
９    鼻
１１、１１ａ、１１ｂ    静電気除去用鼻栓
２１ａ、２１ｂ、２１ｃ    円形状のつば
３１    筒状部
４１ａ、４１ｂ、４１ｃ    ダイオード
５１ａ、５１ｂ、５１ｃ  ダイオードの正極
６１、６１ａ、６１ｂ    表示部
【図１】
2018079255.tif 000003
【図２】
2018079255.tif 000004
【図３】
2018079255.tif 000005
【図４】
2018079255.tif 000006
【図５】
2018079255.tif 000007
【図６】
2018079255.tif 000008